(57)【特許請求の範囲】
【請求項１】
孔部を無数に穿設する表面部と裏面部とを有するパネルと、前記パネルの孔部に嵌挿し、前記パネルの表面部より突出する突出部を蓄光と発光の両機能を有する突出状の蓄発光部とし、且前記蓄発光部の底面部を延設して前記パネルの孔部に嵌挿可能な径を有する嵌挿部と、前記嵌挿部の端部を延設して前記パネルの裏面部に飛出し係止する引掛け部を有する無機質の着色顔料と蓄光顔料とを含有する合成樹脂製の蓄光性を有する自発光体とを別設し、前記パネルの孔部に前記自発光体を嵌挿し、嵌挿した前記自発光体が暗くなると所定の文字、図柄となって自発光し視認できることを特徴とするサインボード用蓄光性を有する自発光体。
【請求項２】
前記蓄光性を有する自発光体の嵌挿部は、前記引掛け部より内側方に切欠する切欠部を所定間隔おきに形成することを特徴とする請求項１記載のサインボード用蓄光性を有する自発光体。
【請求項３】
前記蓄光性を有する自発光体は、内側部分が中空状となっていることを特徴とする請求項１又は請求項２記載のサインボード用蓄光性を有する自発光体。
【発明の詳細な説明】
【０００１】
【発明の属する技術分野】
本発明は、サインボード用蓄光性を有する自発光体の分野に関するものである。
【０００２】
【従来の技術】
従来、円形状に小孔を無数に穿設せしめた薄い金属パネルは、そのままフェンス等の外柵や、間仕切り、天井ルーバー等の建材として使用されていた。
【０００３】
さらに薄い板状金属パネルに、所定の文字や絵柄等を構成するパンチングボード等が公知である。
【０００４】
また前記建材もしくはパンチングボード等の製作時に裁断され廃材となったものは、そのまま再生のため圧潰されスクラップ化していた。
【０００５】
さらに前記の穿孔パネルは、そのままの状態で使用するため、わずらわしく、且周囲の景観を阻害していた。
【０００６】
また前記のパンチングボードに穿孔する打抜き手法には、高度の技法を必要とするため、製品化するのに高価なものとなり、さらに一括作成されると文字や絵柄を取り替えることができなかった。
【０００７】
【発明が解決しようとする課題】
本発明は以下のような課題を解決するものである。
【０００８】
第１に本発明は、穿孔パネルの無数の小孔に、暗くなると所定の文字や絵柄等となって発光し、看者らが視認できるように嵌挿し、照明等でライトアップする必要をなくした。
【０００９】
第２に本発明は、前記第１に述べた自発光体の原料である蓄光顔料含有ペレットとして、ペットボトルの廃棄物を再利用することができるので、資源のリサイクル化に貢献できるようにした。
【００１０】
第３に本発明は、一度嵌挿した自発光体でも取り外して、再度所定の文字や絵柄等を作り替えすることができるようにした。
【００１１】
第４に本発明は、無数の小孔を穿孔せしめた穿孔パネルの表面部に所定の着色塗料を塗布したり、あるいは蛍光顔料によるシクル印刷をするか、あるいはマーキングフィルムを貼着せしめておき、さらに本発明の自発光体を前記の小孔に挿入して形成した水玉模様の文字や絵柄が多色の色彩りで浮上って看者らが視認できるようにした。
【００１２】
第５に本発明は、前記パネルの表面部に、再帰反射シートを貼着し、さらに前記パネルの小孔に本発明の自発光体を嵌挿し、前記発光体の発光が再帰反射パネルの反射によって所定の文字や絵柄が水玉模様となって浮上り暗くても看者らが視認できるようにした。
【００１３】
第６に本発明は、既存する穿孔パネルやパンチングメタルフレーム等の端材（廃材）を基板としリサイクルができるようにした。
【００１４】
【課題を解決するための手段】
請求項１記載の発明は、孔部を無数に穿設する表面部と裏面部とを有するパネルと、前記パネルの孔部に嵌挿し、前記パネルの表面部より突出する突出部を蓄光と発光の両機能を有する突出状の蓄発光部とし、且前記蓄発光部の底面部を延設して前記パネルの孔部に嵌挿可能な径を有する嵌挿部と、前記嵌挿部の端部を延設して前記パネルの裏面部に飛出し係止する引掛け部を有する無機質の着色顔料と蓄光顔料とを含有する合成樹脂製の蓄光性を有する自発光体とを別設し、前記パネルの孔部に前記自発光体を嵌挿し、嵌挿した前記自発光体が暗くなると所定の文字、図柄となって自発光し視認できることを特徴とするサインボード用蓄光性を有する自発光体である。
【００１５】
請求項２記載の発明は、前記蓄光性を有する自発光体の嵌挿部は、前記引掛け部より内側方に切欠する切欠部を所定間隔おきに形成することを特徴とする請求項１記載のサインボード用蓄光性を有する自発光体である。
【００１６】
請求項３記載の発明は、前記蓄光性を有する自発光体は、内側部分が中空状となっていることを特徴とする請求項１又は請求項２記載のサインボード用蓄光性を有する自発光体である。
【００１７】
【発明の実施の形態】
請求項１〜３記載の発明に関する実施の形態は共通しているので、以下のとおり説明する。
【００１８】
ａは無機質の着色顔料と蓄光顔料とを含有する合成樹脂製の蓄光性を有する自発光体である。この自発光体ａの構成は以下のとおりである。
【００１９】
前記パネルｂは、所定の厚みを有し、且所定間隔おきに無数に孔部１を穿設する。その孔部１の大きさは通常径が約１２ｍｍ、パネルｂの板厚は約３ｍｍである。しかし前記寸法に限定するものでない。
【００２０】
前記自発光体ａは、最大径が約１４ｍｍで高さが約７ｍｍである。
【００２１】
前記自発光体ａは以下の構成からなっている。
【００２２】
上方部に前記パネルｂの表面部２より突出する突出部分を蓄光と発光の両機能を有する突出状の蓄発光部４を設ける。そして前記蓄発光部４の底面部５の下方に突出状にして、且前記底面部５の径より若干径が小さい径の嵌挿部６を形成する。そして前記嵌挿部６は前記パネルｂの孔部１に嵌挿可能な径を有している。さらに前記嵌挿部６の端部を延設して前記パネルｂの裏面部３より飛出し係止する引掛け部７を形成する。前記引掛け部７の形状は限定しないが、実施の１例としては図１のように湾曲状にしてもよい。
【００２３】
また前記蓄発光部４は、側面よりみて湾曲状に形成してもよい。
【００２４】
さらに前記蓄光性を有する自発光体ａの嵌挿部６は、前記引掛け部７より内側方に切欠して形成する切欠部８を所定間隔おきに形成する。前記切欠部８は図１のとおり複数形成する。これら切欠部８は、手指で若干押圧して狭めてやると、前記孔部１内にスムーズに嵌挿し、蓄発光部４を若干押圧すると引掛け部７が前記パネルｂの裏面部３より飛出し鍔状のため裏面部３に引掛って係止し、容易に離脱しない。
【００２５】
前記自発光体ａの嵌挿部６は、若干の肉厚（約１ｍｍ）を有する程度にして、内側部分を中空状に形成する。
【００２６】
さらに前記自発光体ａは、蓄発光部４と嵌挿部６と引掛け部７は、上方よりみて円形状である。本発明は前記のように、通常上方より見て円形状であるが、限定しない。
【００２７】
また本発明は、前記パネルｂの表面部２に、以下において具体的に説明する再帰反射して視認できる再帰反射シートｃを貼着せしめる。このシートｃをパネルｂの全面もしくは部分的に貼着した後前記自発光体ａを孔部１に嵌挿させる。
【００２８】
本発明の自発光体ａは、図面図示のとおりパネルｂの孔部１を利用して、種々の文字や絵柄に発光するように嵌挿する。この発光体ａの暗くなったときの発光色は、淡白緑色である。しかし他の自発光色である青色、オレンジ等の自発光体と組合せて使用してもよい。
【００２９】
本発明の自発光体ａの製法は、以下のとおりである。
【００３０】
使用する合成樹脂は、ポリオレフィン、ポリプロピレン、ポリエチレン、ポリスチロール、ポリエチレンテレフタレート、ポリスチレン、ポリ塩化ビニール、ＡＢＳ、ポリメチルメタアクリレート、ポリアクリレート、ポリカーボネート、ポリアミド、熱可塑性ポリエステルのほか、ペットボトルの再生ペット等である。
【００３１】
さらに上記の各種合成樹脂と、無機質蓄光顔料と、着色顔料と、オイル等の添加剤とより成る混合物である。蓄光顔料の割合は、合成樹脂１００重量部に対して５〜１００重量部の範囲内で構成されている。そして上記合成樹脂、無機質蛍光顔料、着色顔料と微量の添加物とをブレンダー等で混合してブレンド混合品を得た後、当該ブレンド品を加熱処理し、２本の混合ローラー上または混練押出機またはバンバリーミキサー等の通常プラスチック混練機を用いて、均質混練後に円筒状にペレット化する。
【００３２】
さらに前記の混練したペレット組成物は、様々な成形方法で成形される。例えば、常圧成形、加圧成形、射出成形、押出成形、カレンダー成形等の成形方法があり、その１種または２種以上の組み合わせによる実施が可能である。
【００３３】
前記のように製造された前記自発光体ａは、着色顔料と蓄光顔料を含有することによって、日中の太陽光の紫外線をエネルギーとして蓄え、夜間の暗部で自発光して視認できる機能を発揮する。
【００３４】
即ち、前記着色顔料と蓄光有色発光させる太陽光の紫外線との関係は、紫外線が蓄光体色材にエネルギーを励起させて蓄光させるために、自発光体ａは日中は淡黄白色であり、前記自発光体ａに含有した蓄光成分がどのような色で発光するのか全くわからない。そして、夜間になると、日中の光を蓄えて自然発光する無機質顔料から成る蓄光性を有する自発光体ａが、有色発光して暗闇を水玉模様で多色に際立たせて視認できるために、目的に応じた色彩の演出が可能になる。この水玉模様で多色に際立たせる作用は、前記反射シートｃの特性による。
【００３５】
さらに、自発光体ａの蓄光輝度は、従来の蓄光顔料の残光時間の２００分に対して１０倍の２，０００分の残光特性を有し、励起する光の波長が２００〜４００ナノメーターと広いため、一晩中光り輝く特性を有している（図５、７）。
【００３６】
また蓄光顔料は、アルミン酸塩化合物を主成分に希土類元素の賦活剤を添加焼成しているため、従来の蓄光顔料の硫化亜鉛を主成分としたものは残光輝度が少ない上に、有害な放射性物質を有していたが、本発明に実施されている蓄光顔料は長残光特性のほか放射性物質や有害物質を全く含まないため、環境にやさしい特性が得られる。
【００３７】
さらに本発明に実施される蓄光顔料は、アルミナを主成分とした酸化物であるため、光の吸収―発光―吸収―発光を半永久的に繰り返すことができ、自然界で安定した耐光性を発揮する。
【００３８】
図５は発明に採用されるアルミン酸塩化合物蓄光発光体Ｇ３００Ｍと従来夜光との残光特性を実験により比較したものである。
【００３９】
前記再帰反射シートｃ（図６）は、以下の構成からなっている。
【００４０】
再帰反射とは、光学上特殊な反射機構で、入射した光が再び入射方向に帰る反射現象である。
【００４１】
本発明の反射シートは、再帰反射により、光源方向からの視認性を高めたもので、蓄光顔料のように物体自身が発光するものではなく、また、蛍光体のように光によって励起されて蛍光を発するものとも異なる特性を有している。
【００４２】
構造的には、レンズとして作用する直径４０〜９０μ（ミクロン）の微小な高屈折率ガラスビーズ９が一定の効果を満たすように、結合樹脂中に均一に多数配列され、全体の厚みが１００〜２００μの薄く柔軟なシート状のものである。
【００４３】
ガラスビーズ９の１つ１つは完全な真円球で、一種の凸レンズとして作用する。入射した光は、ガラス体ビーズ９を通り、屈折し一点に焦点を結ぶが、その焦点に金属などの光反射層１０を設け、再びガラスビーズ９を通って、もときた光源方向に帰される。
【００４４】
前記再帰反射シートは、ガラスビーズ９が樹脂中に封入されている「封入レンズ型」、ガラスビーズが空気と共に小さなカプセルに封入されている「カプセルレンズ型」、空気中に露出したままである「露出レンズ型」の３タイプに大別されるが、本発明のパネルｂに貼着使用して輪郭部を構成する反射シートｃには、「封入レンズ型」の感圧型接着剤貼着タイプを使用しているため、屋外に垂直暴露使用したとき１０年以上の耐久性があり、道路標識に使用されているものと同一のものである。
【００４５】
色彩は白、黄、赤、橙、青、緑、茶色の７色が用意されている。
【００４６】
１１は表面フィルム、１２は前記ガラスビーズ９の下方に設けられたバインダー、１３は接着剤であり、その下方にはく離紙１４をはがして貼着する。
【００４７】
上記の再帰反射シートｃの厚みは、約０．１８ｍｍである。
【００４８】
本発明において、前記パネルｂの表面部２に前記再帰反射シートｃを貼着するには以下のようにする。
【００４９】
前記パネルｂの表面部２に露吹しておき、ヘラやローラで圧着して気泡の発生を防止する。
【００５０】
さらに再帰反射シートｃの表面に所定の文字もしくは絵柄等を描いた型紙を仮貼する。そして前記型紙の範囲内にある孔部１にポンチを押圧して孔を開けてやる。この場合ポンチをハンマーや木槌で叩かない。
【００５１】
上記のように孔が開けられたら、孔部１に前記自発光体ａを嵌挿する。そして嵌挿後、自発光体ａの裏面に白色塗料を塗布せしめて、自発光機能を高めてやる。
【００５２】
さらに紫外線吸収剤入り塗料を使用すると自発光機能効果が著しく高められる。
【００５３】
前記自発光体ａが上述した無機質の着色顔料と蓄光顔料とを含有する合成樹脂製でない、いわゆる着色を施した文字や絵柄の場合は、水玉模様で形成される。しかし本発明の自発光体ａが前記した無機質の着色顔料と蓄光顔料とを含有する合成樹脂性のため、日中（可視光時）は薄緑色又は薄青緑色であり、日中太陽光の紫外線を蓄光すると、夜間や暗部には燐光色に自発光するため視認できる。
【００５４】
しかし前記の自発光しない、いわゆる一般的素材からなる文字や絵柄を構成する着色体は、夜間や暗部時には自発光しないので、ライトアップという手段を講じないと視認できない。
【００５５】
さらに前記パネルｂの表面部２には、塗料を塗布するか、又は蛍光塗料によるシルク印刷又はマーキングフィルムを貼着し、水玉模様となって見える前記自発光体ａをはっきりさせることができる。
【００５６】
また前記のように塗布または印刷又は貼着した夫々の各素材自体は、蓄光機能を有していないため夜間は視認できない。
【００５７】
しかし前記自発光体ａとの間では、日中での視認が水玉模状のイメージも、夜間はシルエット状に変化する。
【００５８】
前記パネルｂの表面部２に、前記再帰反射シートｃを貼着し、孔部１に前記自発光体ａを嵌挿して形成する交通標識板や案内板等誘導サインに夜間走行時の車等のヘッドライトが当ると、自発光体ａによって形成されている所定の標識文字等が、前記シートｃにライトが再帰反射してより鮮明に浮き上がって視認でき、交通事故防止にも役立つ効果がある。
【００５９】
さらに本発明の自発光体ａの突出状の蓄発光部４が平面からみると円形状であり、側面よりみると湾曲状をしているので、表面積が表面がフラット形状のものより蓄光面積が著しく大きく、蓄光機能は大きい。そのため長時間発光機能を劣化させたりしない。
【００６０】
さらに本発明の要部であるパネルｂは、固定的に設置されても、自発光体ａは、嵌脱が可能なので、一定期間使用後、好みに応じて別個の文字や絵柄にしたいときは、前記自発光体ａを取外し嵌挿させればよい。従って設置済みのパネルｂを、あきたからと云って全部除去する必要はなく、そのまま設置しておき、嵌挿中の自発光体ａと反射シートｃを離脱し、再度所定の文字や絵柄に応じて再帰反射シートｃを貼着してパネルｂの孔部１に前記自発光体ａを嵌挿させれば、資源の有効利用ができる。
【００６１】
【発明の効果】
請求項１記載の発明は、孔部を無数に穿設する表面部と裏面部とを有するパネルと、前記パネルの孔部に嵌挿し、前記パネルの表面部より突出する突出部を蓄光と発光の両機能を有する突出状の蓄発光部とし、且前記蓄発光部の底面部を延設して前記パネルの孔部に嵌挿可能な径を有する嵌挿部と、前記嵌挿部の端部を延設して前記パネルの裏面部に飛出し係止する引掛け部を有する無機質の着色顔料と蓄光顔料とを含有する合成樹脂製の蓄光性を有する自発光体とを別設し、前記パネルの孔部に前記自発光体を嵌挿し、嵌挿した前記自発光体が暗くなると所定の文字、図柄となって自発光し視認できるサインボード用蓄光性を有する自発光体なので、日中前記自発光体が蓄光し、暗くなったりあるいは夜間になると、所定の文字や絵柄となって自発光すると共に、明るくなると太陽光の紫外線を受けて再度蓄光し、長期間電源設備を利用することなく利用できる利点を有している。
【００６２】
さらに本発明は、孔あきメタルパネルの廃材を再利用して、本発明の要部の自発光体を嵌挿させながら、サインボードの目的に応じた所定の文字や絵柄を構成することができるので、資源のリサイクル化に貢献できるすぐれた利点がある。
【００６３】
また本発明の自発光体は、パネルの孔部から離脱させることもできるので、所定の期間の経過後に、孔部から離脱し、再度所望する文字や絵柄に自発光するように変更可能なので、一枚のパネルを有効に長期間にわたり利用ができる利点がある。
【００６４】
さらに本発明の自発光体の蓄発光部が、日中は太陽光の紫外線を蓄光し、暗くなったりあるいは夜間になると発光し、所定の文字や絵柄を鮮明にパネルより浮上って視認できる利点がある。
【００６５】
また本発明の自発光体は、嵌挿部と引掛け部を有しているので、パネルの孔部に嵌挿するとパネルの裏面部に引掛け部が引掛って容易に離脱したりしない利点がある。
【００６６】
請求項２記載の発明の自発光体は、前記請求項１記載の発明の効果と同じ効果を有している。
【００６７】
さらに本発明の自発光体ａの切欠部によって、パネルの孔部に嵌挿させるとき、手指で嵌挿部を押圧すると容易に狭めることができる利点がある。
【００６８】
また発光に伴う輝度もフラット状のものよりも著しく大にした。
【００６９】
請求項３記載の発明の自発光体は、嵌挿部分が中空状となっているので、一個当りの使用樹脂量を節減し、さらに軽量化を図ってパネルの全体の重量を軽減し、パネルにかかる負担を軽くした。
【図面の簡単な説明】
【図１】  本発明サインボード用蓄光性を有する自発光体の拡大斜視図である。
【図２】  同パネルとパネルの孔部に嵌挿した自発光体との一部切欠部拡大縦断面図である。
【図３】  同自発光体を嵌挿する孔部を有するパネルの一部切欠部拡大平面図である。
【図４】  図３のパネルの一部に再帰反射シートを貼着し、自発光体を嵌挿したパネルの一部切欠拡大平面図である。
【図５】  同自発光体の蓄光輝度と残光時間との関係を示すグラフである。
【図６】  同再帰反射シートの一部切欠拡大縦断面図である。
【図７】  同自発光体の発光強度と波長との関係を示すグラフである。
【図８】  同パネルの小孔に自発光体を嵌挿して作成した文字、絵柄が日中に発光している状態を示す図である。
【図９】  図８の文字、図柄が夜間発光している状態を示す図である。
【図１０】  図８の文字、図柄がヘッドライトによって照射された状態を示す図である。
【符号の説明】
ａ      自発光体
ｂ      パネル
ｃ      再帰反射シート
１      孔部
２      表面部
３      裏面部
４      蓄発光部
５      底面部
６      嵌挿部
７      引掛け部
８      切欠部
９      ガラスビーズ
１０      光反射層
１１      表面フィルム
１２      バインダー
【図１】
0003689850.tif 000002
【図２】
0003689850.tif 000003
【図３】
0003689850.tif 000004
【図４】
0003689850.tif 000005
【図５】
0003689850.tif 000006
【図６】
0003689850.tif 000007
【図７】
0003689850.tif 000008
【図８】
0003689850.tif 000009
【図９】
0003689850.tif 000010
【図１０】
0003689850.tif 000011